(57)【特許請求の範囲】
【請求項１】
リジット部材に液晶パネルを固定するための液晶パネル固定構造であって、
角柱状の弾性部材と、
少なくとも一組の互いに平行な側縁を有するとともに、前記弾性部材の上縁に一方の前記側縁を揃えた状態で前記弾性部材に載置された液晶パネルと、
前記リジット部材表面から突出形成され、互いの間に前記弾性部材が配置されるとともに前記弾性部材よりも背の低い２個の背低突起と、
前記リジット部材表面から突出形成され、前記液晶パネルの他方の側縁に接する内側面を有する、前記弾性部材よりも背の高い背高突起と、
前記液晶パネルの周囲を押さえる枠部と当該枠部から垂下するリブとを有する押え部材と、
前記液晶パネルを介して前記弾性部材を押し潰した状態において、前記押え部材を前記背低突起及び前記背高突起の夫々に係合させる係合手段と
を備えることを特徴とする液晶パネル固定構造。
【請求項２】
前記リジット部材と前記弾性部材との間には、電極が形成された回路基板が挟み込まれているとともに、
前記弾性部材は前記回路基板の前記電極に導通する導電性部材を含んで構成されており、
前記液晶パネルにおける前記弾性部材との接触部位には、前記弾性部材の導電性部材と導通する電極が形成されている
ことを特徴とする請求項１記載の液晶パネル固定構造。
【請求項３】
前記弾性部材の前記背高突起側の内側面に接するように前記リジット部材表面から突出形成されたガイド突起を
更に備えることを特徴とする請求項１記載の液晶パネル固定構造。
【請求項４】
前記液晶パネルは、
前記弾性部材に載置された第１の板状部材と、
前記弾性部材の内側面にその側縁が接触している第２の板状部材と
を有する請求項１記載の液晶パネル固定構造。
【請求項５】
前記弾性部材の外側面は、前記背低突起の外側面と面一となっている
ことを特徴とする請求項１記載の液晶パネル固定構造。
【請求項６】
前記背高突起が前記リジット部材から２個突出している
ことを特徴とする請求項１記載の液晶パネル固定構造。
【請求項７】
前記背低突起及び前記背高突起の側面には爪が形成されているとともに、
前記押え部材の前記リブには、前記各爪に係合する係合孔が形成されている
ことを特徴とする請求項１記載の液晶パネル固定構造。
【請求項８】
前記押え部材の枠部には、前記背高突起が貫通する貫通孔が形成されている
ことを特徴とする請求項１記載の液晶パネル固定構造。
【請求項９】
前記背低突起と係合するリブは、前記弾性部材の外側面に接している
ことを特徴とする請求項５記載の液晶パネル固定構造。
【発明の詳細な説明】
【０００１】
【発明の属する技術分野】
本発明は、液晶パネル支持枠に液晶パネルを固定するための液晶パネル固定構造に関する。
【０００２】
【従来の技術】
電子機器内部のリジット部材上に液晶パネルを固定するための液晶パネル固定構造の一タイプとして、リジット部材の表面上に突起を形成するとともに、この突起に押え部材を係合させることにより、押え部材によって液晶パネルをリジット部材の表面上に固定するものがあった。このようなタイプの液晶パネル固定構造は、リジット部材が筐体の外面をなしている場合等に主として採用されている。図５は、このようなタイプの液晶パネル固定構造の一例を示す縦断面図である。
【０００３】
図５において、リジット部材５０の上面には、略角柱形状を有する４本の突起としての支持枠凸部５１が、一体に形成されている。リジット部材５０の上面において各支持枠凸部５１によってその外縁が区切られた領域が、液晶パネル支持枠として機能する。なお、各支持枠凸部５１は、固定対象の液晶パネル５５のガイド（位置決め部材）を兼ねているので、固定対象の液晶パネル５５における長手方向に沿った各側縁に２個づつ接するように、配置されている。また、各支持枠凸部５１における液晶パネル５５との接触面とは逆側の側面には、爪５１ａが突出形成されている。
【０００４】
これら４本の支持枠凸部５１の間に差し込まれることによって短手方向への位置決めがなされた液晶パネル５５の裏面には、液晶パネル支持枠（リジット部材５０）上に配置されたフレキシブル回路基板５３と液晶パネル５５とを導通させるための導電性ゴム５２が配置されている。
【０００５】
液晶パネル押え部材５４は、導電性ゴム５２を圧縮しつつ液晶パネル５５の周縁を押さえる枠状の形状を有しており、その四周の縁には、液晶パネル支持枠（リジット部材５０）に向かって垂下するリブが一体に形成されている。また、この液晶パネル押え部材５４の上面には、上記各支持枠凸部５１の先端が夫々貫通する４個の貫通孔５４ｂが穿たれている。これら４個の貫通孔５４ｂに各支持枠凸部５１が貫通して突出しているので、図示せぬカバーガラスを介して外部から加わる圧力が液晶パネル５５に加わることが、防止される。また、液晶パネル押え部材５４における長手方向に沿った各リブには、導電性ゴム５２を圧縮しつつ液晶パネル押え部材５４が液晶パネル支持枠（リジット部材５０）に向けて押し付けられた状態において各支持枠凸部５２の爪５１ａと係合する係合孔５４ａが、２個づつ穿たれている。
【０００６】
このような構成により、この液晶パネル５５が液晶パネル押え部材５４によって液晶パネル支持枠（リジット部材５０）上に固定されるのである。
【０００７】
【発明が解決しようとする課題】
しかしながら、上述した従来の液晶パネル固定構造では、４本の支持枠凸部５１の側面によって液晶パネル５５の位置決めを行っていたので、必然的に、各支持枠凸部５１は、液晶パネル５５の側方に配置されていた。その結果、液晶パネル押え部材５４の短手方向幅が、固定対象の液晶パネル５５の幅よりも、支持枠凸部５１の幅分だけ両側に夫々拡がっていた。このように、リジット部材５０側に突起（支持枠凸部５１）を形成したタイプの液晶パネル固定構造では、固定対象の液晶パネル５５自体の面積よりも格段に広いスペースが必要となっていた。
【０００８】
そこで、本発明は、従来におけるこのような問題点に鑑み、リジット部材側に突起を形成したタイプの液晶パネル固定構造でありながら、あまり広いスペースを要することなく、液晶パネルを固定することができる液晶パネル固定構造を提供することを、課題とする。
【０００９】
【課題を解決するための手段】
本発明は、上記課題を解決するために、以下の構成を採用した。即ち、請求項１記載の発明は、リジット部材に液晶パネルを固定するための液晶パネル固定構造であって、角柱状の弾性部材と、少なくとも一組の互いに平行な側縁を有するとともに、前記弾性部材の上縁に一方の前記側縁を揃えた状態で前記弾性部材に載置された液晶パネルと、前記リジット部材表面から突出形成され、互いの間に前記弾性部材が配置されるとともに前記弾性部材よりも背の低い２個の背低突起と、前記リジット部材表面から突出形成され、前記液晶パネルの他方の側縁に接する内側面を有する、前記弾性部材よりも背の高い背高突起と、前記液晶パネルの周囲を押さえる枠部と当該枠部から垂下するリブとを有する押え部材と、前記液晶パネルを介して前記弾性部材を押し潰した状態において、前記押え部材を前記背低突起及び前記背高突起の夫々に係合させる係合手段とを、備えることを特徴とする。
【００１０】
このように構成されると、係合手段によって押さえ部材が各突起に係合されている状態においては、弾性部材が押し潰された状態にあるので、この弾性部材の弾発力によって、液晶パネルは、押え部材の枠部の裏面に押し付けられる。また、この押え部材は、係合手段によって各突起に係合することによって、そのズレが防止されている。従って、このようにしてズレが防止されている押え部材の枠部に押し付けられることによって、液晶パネルが固定される。従って、各突起を液晶パネルの下方に配置しても、液晶パネルが固定できるので、従来のものに比べて、押え部材の幅を狭くすることができる。このように、リジット部材側に突起を設けるタイプの液晶パネル固定構造でありながら、あまりスペースを要しないで済む。
【００１１】
請求項２記載の発明は、請求項１のリジット部材と弾性部材との間には、電極が形成された回路基板が挟み込まれているとともに、前記弾性部材は前記回路基板の前記電極に導通する導電性部材を含んで構成されており、前記液晶パネルにおける前記弾性部材との接触部位には、前記弾性部材の導電性部材と導通する電極が形成されていることで、特定したものである。
【００１３】
請求項３記載の発明は、請求項１の弾性部材の前記背高突起側の内側面に接するように前記リジット部材表面から突出形成されたガイド突起を更に備えることで、特定したものである。
【００１４】
請求項４記載の発明は、請求項１の液晶パネルが、前記弾性部材に載置された第１の板状部材と、前記弾性部材の内側面にその側縁が接触している第２の板状部材とを有することで、特定したものである。
【００１５】
請求項５記載の発明は、請求項１の弾性部材の外側面が、前記背低突起の外側面と面一となっていることで、特定したものである。請求項６記載の発明は、請求項１の背高突起が前記リジット部材から２個突出していることで、特定したものである。
【００１６】
請求項７記載の発明は、請求項１の背低突起及び背高突起の側面には爪が形成されているとともに、押え部材の前記リブには、前記各爪に係合する係合孔が形成されていることで、特定したものである。
【００１７】
請求項８記載の発明は、請求項１の押え部材の枠部には、前記背高突起が貫通する貫通孔が形成されていることで、特定したものである。請求項９記載の発明は、請求項５の背低突起と係合するリブが前記弾性部材の外側面に接していることで、特定したものである。
【００１８】
【発明の実施の形態】
以下、図面に基づいて、本発明の実施の形態を説明する。
図１は、本実施形態による液晶パネル固定構造の組付状態を示す斜視図であり、図２は、図１のII−II線に沿った縦断面図であり、図３は、図１のIII−III線に沿った縦断面図であり、図４は、本実施形態による液晶パネル固定構造を構成する各部材を示す分解斜視図である。
【００１９】
固定対象の液晶パネル１は、図４に示されるように、二組の互いに平行な側縁を有し、全体として板状の形状を有している。この液晶パネル１は、図２及び図３に示されるように、表面側から順に、上側偏光板１１，液晶を封入した２枚のガラス板（上側ガラス板１２，下側ガラス板１３），及び、下側偏光板１４から構成されている。なお、上側偏光板１１と上側ガラス板１２との間には、表示すべき情報の形状に予め形成された透明電極が挟まれている。一方、下側ガラス板１３と下側偏光板１４との間には、全面に亘って透明なアース電極が形成されている。この液晶パネル１における長手方向に沿った一方の側縁の全長に亘って、第１の板状部材としての上側ガラス１２は、第２の板状部材としての下側ガラス１３よりも一定幅だけ突出している。この突出部１２ａの下面（下側ガラス１３側の面）には、各電極に連通した多数の接続端子が、一定ピッチで形成されている。
【００２０】
この液晶パネル１が固定されるリジット部材２は、例えば、電子機器であるカメラに内蔵されているファインダブロックやオートフォーカスブロックであるが、図示を簡略化するために、各図においては板状部材として表されている。このリジット部材２の上面には、比較的背が高い２個の突起（背高突起としての第１支持枠凸部２１及び第２支持枠凸部２２）が、並んで突出形成されている。第１支持枠凸部２１及び第２支持枠凸部２２が並ぶ方向を、以後、「Ｘ方向」という（図４参照）。また、同じく、リジット部材２の上面には、比較的背が低い２個の突起（背低突起としての第３支持枠凸部２３及び第４支持枠凸部２４）が、Ｘ方向に沿って並んで突出形成されている。これら第１支持枠凸部２１及び第２支持枠凸部２２と第３支持枠凸部２３及び第４支持枠凸部２４との、Ｘ方向に直交する方向（以下、「Ｙ方向」という）における間隔は、液晶パネル１の短手方向における幅から第３支持枠凸部２３及び第４支持枠凸部２４（の根元）のＹ方向における幅を減じた値と、略同じとなっている。なお、第１支持枠凸部２１と第３支持枠凸部２３とは、Ｙ方向に略沿って並んでいる。この第１支持枠凸部２１と第２支持枠凸部２２との間隔は、液晶パネル１の長手方向における幅の略半分程度である。また、第３支持凸部２３と第４支持凸部２４との間隔は、第１支持枠凸部２１と第２支持枠凸部２２との間隔よりも広く、液晶パネル１の長手方向における幅よりも若干狭い。
【００２１】
第１支持枠凸部２１及び第２支持枠凸部２２は、互いに同じ型状を有しており、その高さは、液晶パネル１の厚さよりも十分に大きい。これら第１支持枠凸部２１及び第２支持枠凸部２２における第３支持凸部２３又は第４支持凸部２４に対向した内側面は、リジット部材２の上面に対して垂直な平面となっている。また、第１支持枠凸部２１及び第２支持枠凸部２２における第３支持凸部２３又は第４支持凸部２４とは逆側を向いた外側面も、リジット部材２の上面に対して垂直な平面として形成されているが、その略中間の高さの位置には、爪２１ａ，２２ａが突出形成されている。この爪２１ａ，２２ａは、各支持枠凸部２１，２２の根元側において、各支持枠凸部２１，２２の外側面に対して直角な面をなしており、各支持枠凸部２１，２２の先端側において、各支持枠凸部２１，２２の外側面に対して傾斜した面をなしている。なお、第１支持枠凸部２１及び第２支持枠凸部２２における爪２１ａ，２２ａよりも先端側の部分のＹ方向幅は、根元側よりも細くなっている。また、その先端面の外縁は、斜めに面取りされている。
【００２２】
一方、第３支持枠凸部２３及び第４支持枠凸部２４は、互いに同じ型状を有しており、その高さは、第１支持枠凸部２１及び第２支持枠凸部２２の略半分程度であり、そのＹ方向幅は、上側ガラス１２の突出部１２ａの突出幅と同じである。これら第３支持枠凸部２３及び第４支持枠凸部２４における第１支持凸部２１又は第２支持凸部２２に対向した内側面は、リジット部材２の上面に対して傾斜した面となっている。また、第３支持枠凸部２３及び第４支持枠凸部２４における第１支持凸部２１又は第２支持凸部２２とは逆側を向いた外側面は、リジット部材２の上面に対して垂直な平面として形成されているが、その先端近傍には、爪２３ａ，２４ａが突出形成されている。この爪２３ａ，２４ａは、第１支持枠凸部２１及び第２支持枠凸部２２の爪２１ａ，２２ａと同一形状を有している。
【００２３】
また、第３支持枠凸部２３及び第４支持枠凸部２４における第１支持凸部２１又は第２支持凸部２２に対向した側には、Ｘ方向に長軸を向けた直方体状の突起（以下、「ガイド突起２５，２６」という）が、夫々一体に形成されている。これら各ガイド突起２５，２６の高さは、第３支持枠凸部２３及び第４支持枠凸部２４の略半分程度である。また、各ガイド突起２５，２６の間隔は、第３支持枠凸部２３及び第４支持枠凸部２４の間隔よりも狭い。従って、第３支持枠凸部２３及びガイド突起２５は、平面逆Ｌ字型をなし、第４支持枠凸部２４及びガイド突起２６は、平面Ｌ字型をなしている。
【００２４】
以上説明した各支持枠凸部２１〜２４及び各ガイド突起２５，２６とリジット部材２の上面におけるこれらによって囲まれた領域とが、「液晶パネル支持枠」を構成する。
【００２５】
リジット部材２の上面における液晶パネル支持枠の近傍領域には、図示せぬカメラの内部回路を実装しているフレキシブル回路基板３が敷かれている。このフレキシブル回路基板３には、各支持枠凸部２１〜２４及び各ゴムガイド突起２５，２６を貫通させて、このフレキシブル基板３をリジット部材２の上面に密着させるための開口３１〜３４が、夫々打ち抜かれている。このフレキシブル基板３の表面における第３支持枠凸部２３を貫通させるための開口３３と第４支持枠凸部２４を貫通させるための開口３４との間には、液晶パネル１に各種の電気信号を与えるための複数の電極からなるパターン（以下、「液晶パネル用ランド３５」という）が、上側ガラス１３の突出部１３ａに形成された接続端子と同ピッチにて、形成されている。
【００２６】
この液晶パネル用ランド３５の上に載置される弾性部材としてのゼブラＧは、第３支持枠凸部２３と第４支持枠凸部２４との間の間隔とほぼ同じ長手方向長さ，第３支持枠凸部２３及び第４支持枠凸部２４の根元におけるＹ方向幅（即ち、上側ガラス１２の突出部１２ａの突出量）と同じ短手方向長さ，及び、第３支持枠凸部２３及び第４支持枠凸部２４の高さよりも大きい厚さ（更に詳しくは、下側ガラス１３及び下側偏光板１４の厚さとゴムガイド突起２５，２６の高さとを加算してフレキシブル基板３の厚さを減じた量よりも大きい厚さ）を有している角柱状部材である。このゼブラＧは、液晶パネル用ランド３５の電極と同じピッチで交互に重なった導電性ゴム（導電性部材）と絶縁性ゴムとから構成されている。従って、リジット部材２の上面にフレキシブル基板３が重ねられた状態において液晶パネル用ランド３５にゼブラＧを載置すると、液晶パネル用ランド３５を構成する各電極に、ゼブラＧを構成する各導電性ゴムが導通する。
【００２７】
液晶パネル押え部材４は、ステンレスを打ち抜いて曲折されることによって形成されている。この液晶パネル押え部材４の中央には、外部からの液晶パネル１の視認を可能とするために、液晶パネル１よりも一回り小さい大きさの表示窓４ａが打ち抜かれている。この液晶パネル押え部材４における表示窓４ａを中心とした矩形領域（Ｘ方向において液晶パネル１の長手方向幅と略同じ幅を有するとともに、Ｙ方向において液晶パネルの短手方向幅よりも第１支持枠凸部２１及び第２支持枠凸部２２のＹ方向幅の分だけ大きい幅を有する領域）は、液晶パネル１の四方の縁を押さえる枠部４ｂをなしている。この枠部４ｂにおける一方の長手方向縁の近傍には、第１支持枠凸部２１及び第２支持枠凸部２２の先端が夫々貫通する貫通孔４ｇ，４ｇが打ち抜かれている。
【００２８】
液晶パネル押え部材４の枠部４ｂの各縁からは、液晶パネル１の厚さよりも広い幅（但し、上側偏光板１１及び上側ガラス１２の厚さにゼブラＧの厚さを加えた量よりは小さい幅）を有すリブ４ｃ〜４ｆが、夫々一体に垂下している。このうち、貫通孔４ｇ，４ｇ近傍の縁から垂下したリブ４ｅには、この貫通孔４ｇ，４ｇにその先端が貫通している第１支持枠凸部２１及び第２支持枠凸部２２の爪２１ａ，２２ａに夫々係合する二つの係合孔４ｈ，４ｈが、打ち抜かれている（これらの係合孔４ｈ，４ｈと爪２１ａ，２２ａとが係合手段を構成する）。このリブ４ｅとは逆側の縁から垂下したリブ４ｆには、貫通孔４ｇ，４ｇに第１支持枠凸部２１及び第２支持枠凸部２２の先端が貫通した時に第３支持枠凸部２３及び第４支持枠凸部２４の爪２３ａ，２４ａに夫々係合する二つの係合孔４ｉ，４ｉが、打ち抜かれている（これらの係合孔４ｉ，４ｉと爪２３ａ，２４ａとが係合手段を構成する）。これら各係合孔４ｈ，４ｈ，４ｉ，４ｉは、ゼブラＧを押し潰しつつ枠部４ｂによって液晶パネル１をリジット部材２側に押し付けた時に各爪２１ａ，２２ａ，２３ａ，２４ａが係合する位置に、形成されている。なお、これら二つのリブ４ｅ，４ｆの端縁は、外側に拡がる様に若干曲げられている。
【００２９】
以下、上述したように構成された各部材から本実施形態による液晶パネル固定構造を組み上げる手順を説明する。
最初に、各支持枠凸部２１〜２４及びゴムガイド突起２５，２６を各開口３１〜３４に貫通させた状態で、リジット部材２の表面にフレキシブル回路基板３を敷く。
【００３０】
次に、第３支持枠凸部２３と第４支持枠凸部２４との間にゼブラＧを差し入れ、このゼブラＧの内側面をゴム押え突起２５及び２６に接触させる。このようにすると、ゼブラＧの位置決めがなされ、ゼブラＧを構成する各導電性ゴムが、液晶パネル用ランド３５を構成する各接続端子と夫々導通する。また、この時、ゼブラＧの外側面は、第３支持枠凸部２３及び第４支持枠凸部２４の外側面と面一となる。
【００３１】
次に、液晶パネル１の長手方向に沿った側縁をゼブラＧの外側上縁を揃えた状態で、液晶パネル１の突出部１２ａの下面をゼブラＧの上面に接触さるとともに、下側ガラス１３の側面をゼブラＧの内側面に接触させる。すると、液晶パネル１における逆側の長手方向縁が、第１支持枠凸部２１及び第２支持枠凸部２２の内側面に接触する。なお、この時、液晶パネル１の長手方向位置（Ｘ方向位置）を調整して、突出部１２ａの下面に形成された各接続端子を、ゼブラＧの導電性ゴムを介して、液晶パネル用ランド３５中の対応する電極に導通させる。
【００３２】
次に、第１支持枠凸部２１及び第２支持枠凸部２２の先端を各貫通孔４ｇに貫通させた状態で、液晶パネル１に液晶パネル押え部材４を被せる。すると、リブ４ｅが第１支持枠凸部２１及び第２支持枠凸部２２の爪２１ａ，２２ａに夫々接触するとともに、リブ４ｆが第３支持枠凸部２３及び第４支持枠凸部２４の爪２３ａ，２４ａに夫々接触する。この状態から液晶パネル押え部材４を更に押し込むと、各リブ４ｅ，４ｆの端縁が各爪２１ａ〜２４ａの斜面によって外側に拡げられ、各リブ４ｅ，４ｆが各爪２１ａ〜２４ａに乗り上げる。そして、暫くすると、枠部４ｂの下面が液晶パネル１の上面に接触する。そして、ゼブラＧを押し潰しつつ、液晶パネル押え部材４を更に押し込むと、リブ４ｅに形成された各係合孔４ｈ，４ｈに第１支持凸部２１及び第２支持枠凸部２２の爪２１ａ，２２ａが夫々嵌り込んで、リブ４ｅが復元して第１支持凸部２１及び第２支持枠凸部２２の外側面に接触するとともに、リブ４ｆに形成された各係合孔４ｉ，４ｉに第３支持凸部２３及び第４支持枠凸部２４の爪２３ａ，２４ａが嵌り込んで、リブ４ｆが復元して第３支持凸部２３及び第４支持枠凸部２４の外側面に接触する。
【００３３】
この状態で、液晶パネル押え部材４に加えていた力を抜くと、ゼブラＧの弾発力によって液晶パネル１が液晶パネル押え部材４の裏面に押し付けられる。このとき、各係合孔４ｈ，４ｈ，４ｉ，４ｉの内縁（各リブ４ｅ，４ｆの端縁側の内縁）に、各爪２１ａ〜２４ａが引っ掛かるので、液晶パネル押え部材４のそれ以上の移動が制限されて、液晶パネル１が固定されるのである。
【００３４】
このようにして組み上げられた液晶パネル固定構造によると、液晶パネル押え部材４自体のズレは、第１支持枠突起２１及び第２支持枠突起２２と各貫通孔４ｇ，４ｇとの嵌合によって規制される。また、液晶パネル１のズレは、液晶パネル押え部材４の各リブ４ｃ〜４ｆによって規制される。更に、ゼブラＧの長軸方向へのズレは、第３支持枠突起２３及び第４支持枠突起２４によって制限される。なお、ゼブラＧは、液晶パネル押え部材４によって固定された液晶パネル１の下側ガラス１３の側面とリブ４ｆとの間に挟まれているので、この構造によって、ゼブラＧの倒れが防止されている。同時に、第１支持枠突起２１及び第２支持枠突起２２が各貫通孔４ｇ，４ｇを貫通して突出していることにより、図示せぬカバーガラスを介して外部から加わる圧力が液晶パネル１に加わることが、防止される。
【００３５】
このように、本実施形態によると、液晶パネル押え部材４に２本の支持枠凸部２１，２２を貫通させるだけでも、液晶パネル１のズレ及びゼブラＧの倒れを防止できるとともに、外部から加わる圧力が液晶パネル１に加わる事を防止できる。従って、他の二本の支持枠凸部２３，２４の高さを低くして、液晶パネル１の下に配置することができる。その結果、図５に示す従来の液晶パネル固定構造に比べて、液晶パネル押え部材４の短手方向幅を、一本の支持枠凸部２３，２４のＹ方向幅分だけ狭くすることが可能になる。
【００３６】
【発明の効果】
以上のように構成された本発明による液晶パネル固定構造によれば、リジット部材側に突起を形成したタイプの液晶パネル固定構造でありながら、あまり広いスペースを要することなく、固定対象液晶パネルを固定することができる。
【図面の簡単な説明】
【図１】  本発明の実施の形態である液晶パネル固定構造の斜視図
【図２】  図１のII−II線に沿った縦断面図
【図３】  図１のIII−III線に沿った縦断面図
【図４】  図１に示す液晶パネル固定構造の分解図
【図５】  従来の液晶パネル固定構造の縦断面図
【符号の説明】
１          液晶パネル
２          リジット部材
３          フレキシブル回路基板
４          押え部材
４ｅ，４ｆ  リブ
４ｇ        貫通孔
４ｈ，４ｉ  係合孔
１２          上側ガラス
１２ａ        突出部
１３          下側ガラス
２１          第１支持枠凸部
２２          第２支持枠凸部
２３          第３支持枠凸部
２４          第４支持枠凸部
２１ａ，２２ａ，２３ａ，３４ａ  爪
３５，２６    ゴムガイド突起
【図１】
0004086941.tif 000002
【図２】
0004086941.tif 000003
【図３】
0004086941.tif 000004
【図４】
0004086941.tif 000005
【図５】
0004086941.tif 000006